(57)【要約】【課題】犬猫などのペットを飼うことによって、猫などの抜け毛が衣服に付着することを避けるために、好みの衣服や上等の衣服が着用できないというのは、本末転倒である。しかるに従来技術では、このような問題を解消するような服飾品は見当たらなかった。本発明は、従来技術のかかる課題の解決を図るために、犬猫などのペットを抱いたり愛撫しても、着用の衣服に抜け毛が付着するのを防ぐことができて、簡単に着用できる、毛つき防止用ポンチョを提供しようとするものである。【解決手段】【請求項１】長手方向に細長い略長方形状布の左右いずれか一方の中央部に、略半月形状の襟当て布を逢着し、かつ前記襟当て布側とは反対側の中間部に、ポンチョの前側と後側を連結する連結部を逢着し、更には、前記襟当て布側の両し端部に止め部を設けて成型したことを特徴とする毛つき防止用ポンチョ。【選択図】　図１
2004100125.tif 000002
【特許請求の範囲】
【請求項１】
長手方向に細長い略長方形状布（１）の左右いずれか一方の中央部に、略半月形状の襟当て布（２）を逢着し、かつ前記襟当て布（２）側とは反対側の中間部に、ポンチョの前側と後側を連結する連結部（３）を逢着し、更には、前記襟当て布（２）側の両下端部に止め部（４）、（４）を設けて成型したことを特徴とする毛つき防止用ポンチョ。
【請求項２】
連結部（３）と、止め部（４）、（４）を、それぞれ伸長性素材で成型したものである請求項１記載の毛つき防止用ポンチョ。
【発明の詳細な説明】
【０００１】
【発明の属する技術分野】
本発明は、犬猫などのペットなどを飼った際に、衣服に抜け毛が着くのを防ぐのに用いる、毛つき防止用ポンチョに関する。
【０００２】
【従来の技術】
従来から犬猫などのペットを飼うことは盛んに行われていた。しかし、以前は戸外で飼うことが多かったのに対し、近年は屋内で飼う傾向が多くなっている。そのせいか、犬猫などのペットを胸に抱いて愛撫することが多くなっている。すると、犬猫などの抜け毛が衣服に付着してしまうことが多くなる。犬猫などのペットを飼っている間は、抜け毛などで汚れてもよい衣服しか着用できないという傾向が拡大している。
【０００３】
【発明が解決しようとする課題】
従来の技術で述べたように、犬猫などのペットを飼うことによって、猫などの抜け毛が衣服に付着することを避けるために、好みの衣服や上等の衣服が着用できないというのは、本末転倒である。しかるに従来技術では、このような問題を解消するような服飾品は見当たらなかった。本発明は、従来技術のかかる課題の解決を図るために、犬猫などのペットを抱いたり愛撫しても、着用の衣服に抜け毛が付着するのを防ぐことができて、簡単に着用できる、毛つき防止用ポンチョを提供しようとするものである。
【０００４】
【課題を解決するための手段】
上記目的を達成するために、本発明における毛つき防止用ポンチョは、次のような構成としている。
【請求項１】長手方向に細長い略長方形状布１の左右いずれか一方の中央部に、略半月形状の襟当て布２を逢着し、かつ前記襟当て布２側とは反対側の中間部に、ポンチョの前側と後側を連結する連結部３を逢着し、更には、前記襟当て布２側の両下端部に止め部４、４を設けて成型してある。
【０００５】
【請求項２】連結部３と、止め部４、４を、それぞれ伸長性素材で成型したものである請求項１記載の毛つき防止用ポンチョ。
【０００６】
【発明の実施の形態】
本発明は、前後同型に成型してあるので、右肩、左肩のいずれに掛けても同様の効果が出るように作られている。依って右利きの人、左利きの人のいずれの人にも使用できるようになっているので、便利である。
本実施例では、左右いずれかの肩に掛け、止め部４、４にあるボタンとボタン穴を操作して前側と後側を繋ぎ止めて使用する。以上のようにして使用すると、犬猫などのペットをポンチョの上に抱き上げ愛撫しても、犬猫などのペットの抜け毛はポンチョにくっつき、着用している衣服は本ポンチョで保護されているので、衣服が汚れるようなことは起こらない。
【０００７】
【実施例】
本発明の実施例について図面を参照に説明する。
図１、図２、図３は、請求項１記載に関する実施例で、図１は、請求項１に基づいて成型した一実施例の斜視図、図２は、実際に身につけた実施例の正面図、図３は、止め部４、４部分拡大図である。
本実施例は、図１、図２、図３に示されるように、長手方向に細長い略長方形状布１の左右いずれか一方の中央部に、略半月形状の襟当て布２を逢着してある。また前記襟当て布２側とは反対側の中間部に、ポンチョの前側と後側を連結する連結部３を逢着してある。更に、前記襟当て布２側の両下端部に止め部４、４を設けて成型してある。従って、本実施例では、前後同型に成型してあるので、右肩、左肩のいずれに掛けても同様の効果が出るように作られている。依って右利きの人、左利きの人のいずれの人にも使用できるようになっているので、重宝なものであり、便利さがある。
本発明は、また斬新なエプロンのデザインになっており、新しいエプロンとしても使用でき、使い勝手も優れている。
【０００８】
本実施例では、左右いずれかの肩に掛け、止め部４、４に設けてあるボタンとボタン穴を操作して前側と後側を繋ぎ止めて使用する。この止め部４、４は、ポンチョの両下端部に設けてあり、ポンチョの前側と後ろ側を繋ぎ止めれるものならなんでもよく、ボタン、ファスナー、スナップ類、面ファスナー、カギホック類などが用いられる。
本実施例では、以上のようにして使用すると、犬猫などのペットをポンチョの上に抱き上げ愛撫をしても、犬猫などのペットの抜け毛はポンチョにくっつき、着用している衣服は本ポンチョで保護されているので、衣服が汚れるようなことは起こらない。
【０００９】
図４、図５は、請求項２に対応する実施例である。図４は、長方形状の止め部４のオス部の拡大斜視図である。本実施例では、この部分の素材をゴムなどの伸長性素材で成型した止め部４にしてある。従って、本実施例では、この部分の素材が伸縮するので、使用上使い勝手がよく、使用していて体が楽である。
図５は、ポンチョの前側と後側を連結する連結部３の部分拡大斜視図であるが、本実施例では、この連結部３の素材をゴムなどの伸長性素材で成型した連結部５である。従って、本実施例では、この部分の素材が伸縮するので、使用上の使い勝手がよく、使用していて身体が楽に動くことができる。
【００１０】
【発明の効果】
本発明は上記のとおり構成されているので、次に記載する効果を奏する。
１．前側も後側も同じ仕立てのフリーサイズなので、左右いずれの肩にも掛けることができ、右利き、左利き、いずれの人にも対応でき極めて便利である。
２．着脱は止め具１個の操作で容易にできるので、至って簡便であり、使い勝手がよい。
３．斬新なデザインであり、オシャレなエプロンとしても使用でき、新しいエプロンとしての価値観を有する。
【００１１】
【図面の簡単な説明】
【図１】一実施例の斜視図である。
【図２】実際に身につけた実施例の正面図である。
【図３】止め部の部分拡大斜視図である。
【図４】止め部のオス部の拡大斜視図である。
【図５】連結部３の部分拡大斜視図である。
【符号の説明】
（１）　　は　略長方形状布
（２）　　は　襟当て布
（３）　　は　連結部
（４）　　は　止め部
（５）　　は　伸長性素材で成型した止め部
（６）　　は　伸長性素材で成型した連結部
【図１】
2004100125.tif 000003
【図２】
2004100125.tif 000004
【図３】
2004100125.tif 000005
【図４】
2004100125.tif 000006
【図５】
2004100125.tif 000007